(57)【特許請求の範囲】
【請求項１】
強化繊維に合成樹脂を含浸させてなる繊維強化プリプレグを巻回してなる管状体を用いたゴルフクラブシャフトであって、前記管状体はクラブヘッドが装着される先端部と、前記先端部の反対側に設けられた握り部とを有しており、シャフト先側からシャフト元側に向って曲げ剛性変化率が１００ｍｍで１．５倍より小さい程度で増加するような曲げ剛性分布を有し、前記先端部から前記握り部までの潰し剛性がほぼ一定で、前記握り部において握り部端部に向って潰し剛性が増加する潰し剛性分布を有し、前記潰し剛性は、下記の式により表わされることを特徴とするゴルフクラブシャフト。
潰し剛性＝Ｆ／（Δｘ／Ｄ）
（式中、Ｆは管状体に加えられた荷重、Δｘは荷重Ｆを加えられたときの管状体の変形量、Ｄは管状体の外径である。）
【発明の詳細な説明】
【０００１】
【発明の属する技術分野】
本発明は、ゴルフクラブシャフトに関する。
【０００２】
【従来の技術】
従来のゴルフクラブシャフトにおける曲げ剛性は、通常シャフト先端部からシャフト手元部に向って徐々に大きくなるように分布しており、手元側のシャフト端部（握り部後端部）が最大となるようになっている。このようなゴルフクラベシャフトでは、使用者が満足するような所望の柔軟性が得られない。
【０００３】
この点を改良するために、特開平７−２１３６５８号公報には、曲げ剛性が非常に小さい部分を有する分布を持つゴルフクラブシャフトが開示されている。
【０００４】
しかしながら、このゴルフクラブシャフトは、シャフトにおける一部分の曲げ剛性を単純に小さくしているだけで、シャフト全体の曲げ剛性の考慮に欠けるものである。したがって、使用者の種々の要求、例えば操作性、操作安定性、方向安定性、柔らかい打球感等を満足することができない。
【０００５】
【発明が解決しようとする課題】
本発明はかかる点に鑑みてなされたものであり、使用者が満足する種々の要求特性を備えたゴルフクラブシャフトを提供することを目的とする。
【０００６】
【課題を解決するための手段】
本発明は、強化繊維に合成樹脂を含浸させてなる繊維強化プリプレグを巻回してなる管状体を用いたゴルフクラブシャフトであって、前記管状体はクラブヘッドが装着される先端部と、前記先端部の反対側に設けられた握り部とを有しており、シャフト先側からシャフト元側に向って曲げ剛性変化率が１００ｍｍで１．５倍より小さい程度で増加するような曲げ剛性分布を有し、前記先端部から前記握り部までの潰し剛性がほぼ一定で、前記握り部において握り部端部に向って潰し剛性が増加する潰し剛性分布を有し、前記潰し剛性は、下記の式により表わされることを特徴とするゴルフクラブシャフトを提供する。
潰し剛性＝Ｆ／（Δｘ／Ｄ）
（式中、Ｆは管状体に加えられた荷重、Δｘは荷重Ｆを加えられたときの管状体の変形量、Ｄは管状体の外径である。）
【０００８】
【発明の実施の形態】
以下、本発明の実施の形態を図面を参照して具体的に説明する。
【０００９】
本発明者らは、ゴルフクラブシャフトにおけるシャフト全体にわたる曲げ剛性分布、潰し剛性分布、捩り剛性分布を考慮して、使用者が満足する種々の要求特性を以下のように実現することができた。
【００１０】
（第１の実施形態）
本実施形態は、本発明の範囲外の実施形態であり、強化繊維に合成樹脂を含浸させてなる繊維強化プリプレグを巻回してなる管状体を用いたゴルフクラブシャフトであって、前記管状体はクラブヘッドが装着される先端部と、前記先端部の反対側に設けられた握り部とを有し、前記握り部よりも先端部側に曲げ剛性が最大となる部分を有することを特徴としている。
【００１１】
本実施形態において、図１に示すように、曲げ剛性が最大となる部分Ａは、使用者の両手のグリップの長さや、意図的に握り部端を余して短めに握る場合等を考慮すると、管状体の握り部端部から２００〜４００ｍｍの範囲に設定することが望ましい。また、曲げ剛性が最大となる部分Ａから握り部端部に向って曲げ剛性が減少し、握り部において握り部端部の曲げ剛性が最小になるように設定する。
【００１２】
最大の曲げ剛性値は、握り部端部の曲げ剛性値の５％以上、好ましくは１０％以上高いことが好ましい。また、握り部端部の曲げ剛性値は、最大の曲げ剛性値の５０〜９０％であることが好ましい。例えば、一般向けウッドクラブの場合、最大の曲げ剛性値は７．５×１０６〜１０．０×１０６ｋｇｆ・ｍｍ２程度であり、握り部端部の曲げ剛性値は５．５×１０６〜７．０×１０６ｋｇｆ・ｍｍ２程度である。
【００１３】
最大の曲げ剛性値を高くするために、曲げ剛性が最大となる部分Ａより先端側（Ａより１００〜２００ｍｍの間）に急激な変化率で曲げ剛性が増加する領域Ｂを設けても良い。なお、曲げ剛性変化の割合は、１００ｍｍで１．３倍以上、好ましくは１．５倍程度である。
【００１４】
このような構成にすることにより、使用者は、スイング時に、握り部のシャフト先側を握る手（右利きの場合右手）の先側近傍（以下、先側近傍という）において、非常にしっかりした感覚を持つことが可能となり、不安なく強振することができる。
【００１５】
詳細には、スイングの際、ゴルフシャフトには、握り部のシャフト先側を握る手（右利きの場合右手）の先側近傍において大きな曲げモーメントが発生する。当然、この部位における曲げ剛性が不足すると、しっかりした感覚が得られないものとなってしまう。本発明者らは、この部位における「しっかり感」について鋭意研究の末、この部位における「しっかり感」が、その部位における曲げ剛性の大きさだけでなく、握り部における両手がそれぞれ当接する部分の中間点（以下、中間点という）の曲げ剛性の影響を大きく受けることを発見した。すなわち、使用者は、上記先側近傍と中間点の曲げ剛性値の相対的な差により、先側近傍の曲げ剛性値が中間点の曲げ剛性値より大きい場合、実際以上に先側近傍の曲げ剛性を大きく感じるのである。
【００１６】
また、従来のシャフトの場合、手元部のしっかり感を持たせる場合に、握り部端部の曲げ剛性が必要以上に大きくなり、そのため、必要以上にシャフトが硬くなるという問題がある。本実施形態においては、その点についても改善される。
【００１７】
なお、握持した手にしなりは感じても形状変形は感じないようにするために、握り部における潰し剛性は高く、すなわち握持しても形状変形しない硬さに設定することが好ましい。
【００１８】
（第２の実施形態）
本実施形態は、本発明の範囲外の実施形態であり、強化繊維に合成樹脂を含浸させてなる繊維強化プリプレグを巻回してなる管状体を用いたゴルフクラブシャフトであって、前記管状体はクラブヘッドが装着される先端部と、前記先端部の反対側に設けられた握り部とを有しており、前記先端部側からの曲げ剛性変化率が小さくなる第１の変曲点および前記先端部側からの曲げ剛性変化率が大きくなる第２の変曲点を備え、かつ、前記第１の変曲点における曲げ剛性が前記第２の変曲点における曲げ剛性よりも高い曲げ剛性分布を有することを特徴としている。
【００１９】
本実施形態においては、図２に示すように、このように曲げ剛性分布において２つの変曲点を設けることにより、シャフト先側からシャフト全長に対して略１／３の範囲までの曲げ剛性を相対的に高く、例えば３〜６×１０６ｋｇｆ・ｍｍ２にすることができる。具体的には、シャフト先部から４００〜７００ｍｍの範囲までの位置まで曲げ剛性が漸次増加し、第１の変曲点Ｃから約１００ｍｍの範囲で曲げ剛性が緩やかに減少し、第２の変曲点Ｄからシャフト元部まで曲げ剛性が漸次増加する曲げ剛性分布を示すように設定する。この場合、第１の変曲点Ｃにおける曲げ剛性値と第２の変曲点における曲げ剛性値との間の差は、しなり  （キックポイント）の感知のし易さを考慮して、１×１０６ｋｇｆ・ｍｍ２以上、好ましくは２×１０６ｋｇｆ・ｍｍ２以上に設定する。
【００２０】
このようなゴルフクラブシャフトを用いたゴルフクラブにおいては、相対的にシャフト先部の曲げ剛性が高く、シャフト先部とシャフト元部との間において曲げ剛性が低い領域が比較的長く設定されているので、全体のしなり量を従来のものに近似させることができ、スイングしたときの違和感（従来との差異）を少なくすることができる。また、例えば、曲げ剛性が低い部分にキックポイントがあると、曲げ剛性の低い領域を比較的長くすることができるので（図２における下側の曲線）、キックポイントを強調でき、使用者がシャフトのしなり状態を感知し易くなる。
【００２１】
さらに、曲げ剛性はシャフト先側からシャフト元側に向って緩やかに変化しているので、局所的な強度低下を防止でき、強度の安定向上を図ることができる。また、シャフト先部の曲げ剛性が相対的に高いので、スイング時の先端部における局部的な曲りを抑えることができ、打球方向のバラツキを防止できる。さらに、打球時のロフト角の変化を少なくして弾道を安定させることができる。
【００２２】
（第３の実施形態）
本実施形態は、本発明の範囲外の実施形態であり、強化繊維に合成樹脂を含浸させてなる繊維強化プリプレグを巻回してなる管状体を用いたゴルフクラブシャフトであって、前記管状体はクラブヘッドが装着される先端部と、前記先端部の反対側に設けられた握り部とを有しており、前記握り部よりも前記先端部側に曲げ剛性急変化部を備え、前記曲げ剛性急変化部における最大の曲げ剛性が前記握り部の曲げ剛性と近似することを特徴としている。
【００２３】
本実施形態において、図３に示すように、曲げ剛性急変化部Ｅは、打球時の衝撃吸収を考慮して、握り部よりシャフト先側約２００ｍｍの位置に存在することが好ましい。なお、曲げ剛性急変化部Ｅは、曲げ剛性変化率が１００ｍｍで１．５〜２．０倍である部分を意味する。
【００２４】
曲げ剛性急変化部における最大の曲げ剛性が握り部の曲げ剛性と近似するとは、曲げ剛性急変化部における最大の曲げ剛性値と握り部の曲げ剛性値との間の差が１×１０６ｋｇｆ・ｍｍ２以内であることを意味する。
【００２５】
曲げ剛性急変化部の最もシャフト元側から握り部端部における曲げ剛性は、握り部の剛性感（剛性を感じる感覚）の確保を考慮すると、ほぼ一定かまたは握り部端部に向って緩やかに増加するように設定することが好ましい。なお、必要に応じて、曲げ剛性急変化部の最もシャフト元側から握り部端部までの間に、曲げ剛性急変化部における最大の曲げ剛性値から２×１０６ｋｇｆ・ｍｍ２程度低い低曲げ剛性部Ｆを設けても良い。また、曲げ剛性急変化部における最大の曲げ剛性値は、シャフト先側からシャフト元側に向って徐々に曲げ剛性が増加する従来のシャフトの同じ位置における曲げ剛性値（例えば、６．７×１０６ｋｇｆ・ｍｍ２）よりも２×１０６ｋｇｆ・ｍｍ２程度高く設定することが好ましい。
【００２６】
このようなゴルフクラブシャフトを用いたゴルフクラブは、手元のしっかりした高強度のものである。しかも、シャフトの中間部分とその先部側で大きくしなり易いようにすることができる。これにより、スイング時に硬調子感覚でスイングできると共に、使用者の感覚以上にシャフトをしならせることができ、打球が高くなる。
【００２７】
（第４の実施形態）
本実施形態は、本発明の範囲外の実施形態であり、強化繊維に合成樹脂を含浸させてなる繊維強化プリプレグを巻回してなる管状体を用いたゴルフクラブシャフトであって、前記管状体はクラブヘッドが装着される先端部と、前記先端部の反対側に設けられた握り部とを有しており、前記先端部側からの曲げ剛性変化が正から負に変わる変曲点および前記先端部側からの曲げ剛性変化が負から正に変わる変曲点を少なくとも３つ備えた曲げ剛性分布を有することを特徴としている。
【００２８】
本実施形態においては、図４に示すように、シャフト先側からの曲げ剛性変化率が小さくなる変曲点Ｇ、シャフト先側からの曲げ剛性変化が大きくなる変曲点Ｈ、およびシャフト先側からの曲げ剛性変化が小さくなる変曲点Ｇの順でシャフト先側から設定することが望ましい。なお、この変曲点は、しなりの制御を考慮すると、３〜７程度存在することが好ましい。
【００２９】
また、図４に示すように、変曲点が３つの場合には、シャフト先側からの最初の変曲点までの長さはシャフト先部から全長の２０〜５０％（例えば、シャフト先部から２５０〜５７０ｍｍ）であり、第２の変曲点までの長さはシャフト先部から全長の４０〜７０％（例えばシャフト先部から４５０〜８００ｍｍ）であることが好ましい。例えば、シャフト先側からの最初の変曲点Ｇと第２の変曲点Ｈとの間の長さは、２００ｍｍ以上、好ましくは３００〜６００ｍｍであり、シャフト先側からの第２の変曲点Ｈと第３の変曲点Ｇとの間の長さは、５０〜３００ｍｍ、好ましくは１００ｍｍ以上である。なお、変曲点間の長さは、変曲点の数や曲げ剛性の変化率等を考慮して適宜選択することができる。例えば、変曲点間の長さを２０〜１５０ｍｍにして変曲点の数を多くしたり、変曲点の位置をシャフト中央部に集中させても良い。また、シャフト先側からの曲げ剛性変化率が小さくなる変曲点Ｇを３つ、シャフト先側からの曲げ剛性変化が大きくなる変曲点Ｈを２つ等に変曲点を増加させても良い。
【００３０】
また、シャフト先側からの曲げ剛性変化率が小さくなる変曲点Ｇまでの領域においては、先端部の変形による打球の不安定さを抑えるために、曲げ剛性が急激に増加するように、例えば曲げ剛性の変化率が１００ｍｍで１．２〜１．５倍になるように設定しても良い。また、シャフト先側からの最初の変曲点Ｇから第２の変曲点Ｈまでの間は、スイング時のしなりを発生させるために、曲げ剛性の変化率がほぼ一定か、シャフト元側に向って緩やかに増加するかまたは緩やかに減少するように設定しても良い。例えば、シャフト先側からの最初の変曲点Ｇから第２の変曲点Ｈの間の剛性差は、最初の変曲点Ｇを基準として±２×１０６ｋｇｆ・ｍｍ２、好ましくは±１×１０６ｋｇｆ・ｍｍ２である。
【００３１】
このようなゴルフクラブシャフトを用いたゴルフクラブは、曲げ剛性が低い部分（変曲点Ｈ）がより撓み易いので、全体の曲げ剛性をあまり低下させることなく、使用者は撓み（キックポイント）を感知し易くなる。これにより、使用者のスイングコントロールが容易となる。
【００３２】
（第５の実施形態）
本実施形態は、本発明の第１の発明に対応するものであり、強化繊維に合成樹脂を含浸させてなる繊維強化プリプレグを巻回してなる管状体を用いたゴルフクラブシャフトであって、前記管状体はクラブヘッドが装着される先端部と、前記先端部の反対側に設けられた握り部とを有しており、前記先端部から前記握り部までの潰し剛性がほぼ一定で、前記握り部において握り部端部に向って潰し剛性が増加する潰し剛性分布を有することを特徴としている。
【００３３】
本実施形態においては、シャフト中央の位置、例えば図５における６００ｍｍの位置Ｉの潰し剛性を基準（１００％）として、約９００ｍｍの位置からシャフト元側に向って急激に、例えば１００％以上、好ましくは１１０〜１５０％に潰し剛性を増加させる。ここでは、約９００ｍｍから１０００ｍｍの位置で１１６％程度で潰し剛性が増加し、１０００ｍｍから１２００ｍｍにわたって緩やかに潰し剛性が増加するように設定されている。なお、曲げ剛性については、シャフト先側からシャフト元側に向って増加するような曲げ剛性分布を有するように設定する。
【００３４】
通常シャフト元側は大径であり、薄肉であるので、潰し剛性はシャフト元側ほど低下するのでシャフト元側の曲げ剛性を極端に大きくする必要があるが、上記のような潰し剛性分布にすることにより、シャフト元側の曲げ剛性を極端に大きくする必要がなくなり、握り部を含めてシャフト全体のしなりを生かせると共に、使用者が強く握持しても変形等の違和感を感じることがない。また、シャフト元側の潰れ破損を防止でき、高強度のゴルフクラブシャフトを実現できる。さらに、握りの支点となる部分（右利きの場合左手握り部）が高い潰し剛性を有するので、しっかり握る感じが実現でき、しかもスイングが安定する。
【００３５】
なお、本実施形態における潰し剛性とは、外径Ｄの管状体に荷重Ｆを加えたときの剛性を意味する。図１０（Ａ）に示すように、ゴルフクラブシャフト１の微小長さ△・の管状体（外径Ｄ）２を考えた場合、図１０（Ｂ）に示すように、管状体２に荷重Ｆを加えたときの変形量△ｘとすると、外径Ｄに対する潰し変形量△ｘの割合と荷重Ｆとの間の関係は、図１０（Ｃ）に示すようになる。すなわち、ｔａｎθ＝Ｆ／（△ｘ／Ｄ）となる。したがって、本実施形態では、この値を潰し剛性値と近似している。
【００３６】
（第６の実施形態）
本実施形態は、本発明の範囲外の実施形態であり、強化繊維に合成樹脂を含浸させてなる繊維強化プリプレグを巻回してなる管状体を用いたゴルフクラブシャフトであって、前記管状体はクラブヘッドが装着される先端部と、前記先端部の反対側に設けられた握り部とを有しており、前記先端部において前記先端部から前記握り部に向って曲げ剛性が減少する領域を有し、前記先端部と前記握り部との間に曲げ剛性が急激に増加する領域を有し、前記握り部における曲げ剛性がほぼ一定である曲げ剛性分布を持つことを特徴としている。
【００３７】
本実施形態において、図６に示すように、先端部において先端部から握り部に向って曲げ剛性が減少する領域Ｊを作るためには、シャフト先部から曲げ剛性が増加する領域Ｋを設ける。また、領域Ｊのシャフト元側（シャフト先端から２５０〜４００ｍｍの位置）で最小の曲げ剛性値を示すようにする。なお、領域Ｋの曲げ剛性の最大値と領域Ｊのシャフト元側の最小の曲げ剛性値との間の差は、先端部の変形量の低減を考慮すると、１×１０６ｋｇｆ・ｍｍ２以上にすることが好ましい。
【００３８】
このようなゴルフクラブシャフトを用いたゴルフクラブにおいては、打球時のしなりを長い範囲で調整してスイング時のロフト角やフェース角の急激な変化を防止することができ、球すじを安定させることができ、フックやスライスを減少させることができる。
【００３９】
また、本実施形態においては、先端部と握り部との間に曲げ剛性が急激に増加する領域を有するように設定する。この領域は、打球時の衝撃緩和のために、シャフト先端から７５０〜９００ｍｍの位置に設ける。図６においては、この領域で約５×１０６ｋｇｆ・ｍｍ２程度まで曲げ剛性を増加させているが、従来のシャフトの同じ位置における曲げ剛性値よりも３×１０６ｋｇｆ・ｍｍ２程度高く設定することが好ましい。また、握り部における曲げ剛性は、相対的に中間部のしなりを感じ易くするために、ほぼ一定かまたはシャフト元側に向って緩やかに増加するように設定する。
【００４０】
このようなゴルフクラブシャフトを用いたゴルフクラブにおいては、手元に剛性感を感じながら、かつ、中間部のしなりを感じ、さらに打球時の球すじを安定させることができる。
【００４１】
なお、本実施形態における２つの態様については、図６に示すように、組み合わせて設定しても良く、個々に設定しても良い。
【００４２】
（第７の実施形態）
本実施形態は、本発明の範囲外の実施形態であり、強化繊維に合成樹脂を含浸させてなる繊維強化プリプレグを巻回してなる管状体を用いたゴルフクラブシャフトであって、前記管状体はクラブヘッドが装着される先端部と、前記先端部の反対側に設けられた握り部とを有しており、前記先端部と前記握り部との間に、前記先端部から前記握り部に向って緩やかに曲げ剛性が増加する領域と、前記先端部から前記握り部に向って急激に曲げ剛性が増加する領域とを有する曲げ剛性分布を持つことを特徴としている。
【００４３】
本実施形態においては、図７に示すように、先端部と握り部との間、例えばシャフト先端から４００〜８００ｍｍの範囲にわたって、先端部から握り部に向って緩やかに曲げ剛性が増加する領域Ｌを設ける。領域Ｌにおける曲げ剛性の変化率は、全体的なしなりを考慮すると、１×１０６ｋｇｆ・ｍｍ２／１００ｍｍ以下（図７においては、０．５×１０６ｋｇｆ・ｍｍ２／１００ｍｍ以下）であることが好ましい。
【００４４】
また、先端部から握り部に向って急激に曲げ剛性が増加する領域Ｍ（例えばシャフト先端から約８００ｍｍの位置）を設ける。領域Ｍにおいては、打球時の衝撃の緩和および手元部の剛性感の確保を考慮すると、５０ｍｍ以上、通常１００〜２００ｍｍの範囲で２×１０６ｋｇｆ・ｍｍ２以上の曲げ剛性変化率に設定することが好ましい。
【００４５】
このようなゴルフクラブシャフトを用いたゴルフクラブにおいては、握り部が高い剛性を有するので、これによりしっかりした安定感が得られる。また、シャフト中間部を含めて握り部よりもシャフト先側において充分なしなりが得られ易く、非力な使用者でもこのしなりを感じながらスイングすることができ、タイミングも合わせ易い。
【００４６】
（第８の実施形態）
本実施形態は、本発明の範囲外の実施形態であり、強化繊維に合成樹脂を含浸させてなる繊維強化プリプレグを巻回してなる管状体を用いたゴルフクラブシャフトであって、前記管状体はクラブヘッドが装着される先端部と、前記先端部の反対側に設けられた握り部とを有しており、前記管状体における曲げ剛性の最小値ＥＩMIN に対する曲げ剛性の最大値ＥＩMAX の比ＥＩMAX ／ＥＩMIN が５以上であり、前記曲げ剛性の最小値ＥＩMIN に対応する部分が前記先端部側に位置し、前記曲げ剛性の最大値ＥＩMAX に対応する部分が前記握り部側に位置することを特徴としている。
【００４７】
本実施形態においては、曲げ剛性の最小値ＥＩMIN に対する曲げ剛性の最大値ＥＩMAX の比ＥＩMAX ／ＥＩMIN を４以上好ましくは５以上、さらに好ましくは６以上に設定している。本実施形態の曲げ剛性分布は、図８に示すように、先端部側が凹状の曲線であり、握り部側が凸状の曲線である。
【００４８】
このようなゴルフクラブシャフトを用いたゴルフクラブにおいては、従来の同じフレックス（硬さ）のものと比較した場合、先端部の剛性は低く、手元側の剛性は高くなるために、手元では剛性感を感じながら、打球時の衝撃を緩和させ、軟らかい打球感が得られる。また、ヘッドが返り易くなっているので、スライスを防止できる。
【００４９】
本実施形態のゴルフクラブシャフトにおいては、ＥＩMAX ／ＥＩMIN が４以上の場合、ヘッドスピード３５〜４０ｍ／ｓｅｃのプレーヤーに適しており、ＥＩMAX ／ＥＩMIN が５以上の場合、ヘッドスピード３８〜４３ｍ／ｓｅｃのプレーヤーに適しており、ＥＩMAX ／ＥＩMIN が６以上の場合、ヘッドスピード４３ｍ／ｓｅｃ以上のプレーヤーに適している。
【００５０】
（第９の実施形態）
本実施形態は、本発明の第２の発明に対応するものであり、強化繊維に合成樹脂を含浸させてなる繊維強化プリプレグを巻回してなる管状体を用いたゴルフクラブシャフトであって、前記管状体はクラブヘッドが装着される先端部と、前記先端部の反対側に設けられた握り部とを有しており、前記先端部からシャフト中央部までの捩り剛性が前記先端部から前記中央部に向って減少する捩り剛性分布を有することを特徴としている。
【００５１】
本実施形態においては、先端部からシャフト中央部までの捩り剛性が先端部から中央部に向って減少するように設定する。すなわち、図９に示すように、シャフト先端部の捩じり剛性を中央（シャフト先端から６００ｍｍの位置）を１００％としたときに１１０％程度にし、先端部から中央まで捩り剛性をシャフト元側に向って減少させるように設定する。これは、打球時の衝撃緩和のためである。なお、曲げ剛性については、シャフト先側からシャフト元側に向って増加するような曲げ剛性分布を有するように設定する。
【００５２】
なお、図１〜図９において、破線は従来のゴルフクラブシャフトの曲げ剛性分布を示す。
【００５３】
このようなゴルフクラブシャフトを用いたゴルフクラブにおいては、シャフト先側の捩り剛性が高いので、シャフト先部の捩れが少なく、スイートスポットは外したときでもヘッドの捩れが少なくなり、打球が高角度で上がり、また方向も安定する。また、スライスも防止することができる。
【００５４】
上記のようにして作製した管状体に常法によりクラブヘッドを取り付けることにより、ゴルフクラブシャフトが得られる。
【００５５】
第１〜第９の実施形態において、繊維強化プリプレグは、強化繊維に合成樹脂を含浸させてなるものであり、強化繊維としては炭素繊維、ガラス繊維、アルミナ繊維、アラミド繊維等を用いることができ、合成樹脂としてはエポキシ樹脂、フェノール樹脂、ポリエステル等を用いることができる。
【００５６】
また、第１〜第９の実施形態において、先端部とは、管状体端部から３００〜４００ｍｍの領域を意味し、握り部とは、管状体端部から２００〜３００ｍｍの領域を意味する。
【００５７】
また、第１〜第９の実施形態において、管状体における曲げ剛性分布、捩り剛性分布、潰し剛性分布は、巻回するプリプレグの形状、繊維方向、厚さ、合成樹脂含浸量、繊維の弾性率等を調整することにより実現することができる。
【００５８】
また、第１〜第９の実施形態において、曲げ剛性を徐々に変化させる領域、図１〜図９における傾斜部分の長さは３０〜６０ｍｍ、好ましくは１００ｍｍ以上にすることが好ましい。曲げ剛性の変化領域を長さ方向に比較的長い範囲に設定することにより、キックポイント等の設定が容易となり、応力集中を防止でき、強度の安定向上を図ることができる。
【００５９】
第１〜第９の実施形態においては、ドライバーやスプーン等のシャフト長さの長いクラブ用のシャフトについて説明しているが、本発明は、長さの短いシャフト、例えばサンドウェッジやピッチングウェッジ等のすべてのゴルフクラブシャフトに適用することができる。なお、全長が短い場合には、その全長に応じて前記各実施形態の比率でシャフト先端からの長さを設定すれば良い。また、曲げ剛性の変化する位置は、比例計算で求めることができる。
【００６０】
【発明の効果】
以上説明したように本発明のゴルフクラブシャフトは、シャフト全体にわたる潰し剛性分布、捩り剛性分布を考慮したものであるので、使用者が満足する種々の要求特性を備えたものである。
【図面の簡単な説明】
【図１】第１の実施形態にかかるゴルフクラブシャフトの曲げ剛性分布を示す図。
【図２】第２の実施形態にかかるゴルフクラブシャフトの曲げ剛性分布を示す図。
【図３】第３の実施形態にかかるゴルフクラブシャフトの曲げ剛性分布を示す図。
【図４】第４の実施形態にかかるゴルフクラブシャフトの曲げ剛性分布を示す図。
【図５】第５の実施形態にかかるゴルフクラブシャフトの曲げ剛性分布および潰し剛性分布を示す図。
【図６】第６の実施形態にかかるゴルフクラブシャフトの曲げ剛性分布を示す図。
【図７】第７の実施形態にかかるゴルフクラブシャフトの曲げ剛性分布を示す図。
【図８】第８の実施形態にかかるゴルフクラブシャフトの曲げ剛性分布を示す図。
【図９】第９の実施形態にかかるゴルフクラブシャフトの曲げ剛性分布および捩り剛性分布を示す図。
【図１０】（Ａ）〜（Ｃ）は第５の実施形態にかかるゴルフクラブシャフトにおける潰し剛性を説明するための図。
【符号の説明】
１…ゴルフクラブシャフト、２…管状体。
【図１】
0003878110.tif 000002
【図２】
0003878110.tif 000003
【図３】
0003878110.tif 000004
【図４】
0003878110.tif 000005
【図５】
0003878110.tif 000006
【図６】
0003878110.tif 000007
【図７】
0003878110.tif 000008
【図８】
0003878110.tif 000009
【図９】
0003878110.tif 000010
【図１０】
0003878110.tif 000011